(57)【要約】【課題】  従来のハンガーは洗濯した衣服を掛けると内側が狭くて乾きが遅いので、洗濯した衣服を掛ける時は前後の厚みを広くして風通しを良くし、通常のハンガーとして使用する時は厚みを狭くすることができる開閉自在の衣服用ハンガーを提供する。【解決手段】  適度な弾性と粘り強さを有する合成樹脂素材により一体形成されるハンガー１であって、フック２の下部の基部３に設けられるハンガー本体部が、前後に分離して側面形状が逆Ｖ字状に形成された２枚の保持体６，６を設け、該保持体６の一方に設けた突起８付き係止片９を対向側の保持体６に掛け止めることで、ハンガー本体部を薄く折たためられる衣服用ハンガー。【選択図】  図１
2005066292.tif 000002
【特許請求の範囲】
【請求項１】
適度な弾性と粘り強さを有する合成樹脂素材により一体形成されるハンガーであって、フックの下部の基部に設けられるハンガー本体部が、前後に分離して逆Ｖ字状に形成された２枚の保持体を設け、該保持体の一方に設けた突起付き係止板を対向側の保持体に掛け止めることにより、前記ハンガー本体部を薄く折たためられる構成を特徴とする開閉自在の衣服用ハンガー。
【請求項２】
基部に連結される基板の根元部を肉薄部を形成して成る請求項１に記載する開閉自在の衣服用ハンガー。
【請求項３】
２枚の保持体の間にバネを介在させて成る請求項１〜請求項３のいずれかに記載する開閉自在の衣服用ハンガー。
【請求項４】
基部と基板がヒンジ部により連結して成る請求３に記載する開閉自在の衣記用ハンガー。
【発明の詳細な説明】
【発明の詳細な説明】
【技術分野】
【０００１】  本発明は、衣服を普通に掛ける時はハンガーの厚みが薄く、洗濯した衣服を掛ける時は前後の厚みを広くすることで、風通しをよくして乾燥を大幅に早くすることができる開閉自在の衣服用ハンガーに関する。
【背景技術】
【０００２】  従来より、衣服を掛け吊すハンガーとしては、形はもとより付加機能を持たせたものが数多く提供されている。その中において、ハンガーの内側に回転部材を設けることで、洗濯した衣服の前後を広げて風通しを良くして早く乾燥させることができるハンガーの技術もある。（例えば、特許文献１参照。）。【０００３】  また、ハンガーの肩部分に、一定の幅と長さで丸みを成す通気穴を有する板をハンガーに取り付けることで、掛けた衣服の伸びをなくし、かつ衣服を広げて早く乾燥できる技術もある（例えば、特許文献２参照。）。【０００４】
【特許文献１】        実用新案登録第３０６６４５５号公報（第２−３頁、図１）
【特許文献２】        特開２００２−２２４４９４号公報（第２頁、図１）
【発明が解決しようとする課題】
【０００５】  上記するようなハンガーの技術があるが、実用新案登録第３０６６４５５号に開示する技術は、ハンガーの内側に回転式サポーターを取り付け、衣服を掛けてからサポーターを４５度〜９０度回転させることで、衣服の内側の間隔を広げることにより風通し良くして乾燥を早めるハンガーである。
【０００６】  しかし回転式サポーターにはロック機構が設けられていないので、風により衣服を掛けたハンガーが揺れたり隣の洗濯物に当たったりした場合などは、回転式サポーターが元の位置に戻って厚みが薄くなることもあり、また回転式サポーターを９０度にすると十字状になるので、前身頃のボタンは全部掛けないとサポーターが前身ごろから外れたりして使えない。さらに内側に回転式サポーターを設けているのでズボンやタオルなど、他の洗濯物は掛けられないなどの不便や欠点があるハンガーである。
【０００７】  次に特開２００２−２２４４９４号によるハンガーは、一定の幅と長さで通気穴を有する板をハンガーの肩部分に取り付けることで、衣服の伸びるのを防ぎ、かつ衣服を広げて乾燥を早めるものである。
【０００８】  しかしこの技術はハンガーの肩部分の両サイドに板が付いているので、取り付けたままでは衣服を掛けにくいし、また板を取り外して通常のハンガーにしたり取り付けて使うにも一々面倒である。加えて、板は確実に取り付ける手段を採用していないので、強風で揺れたりした場合は板がずれたり脱落することもある欠点や使いにくさがあるハンガーである。
【課題を解決するための手段】
【０００９】  本発明は上記する不便や欠点を解消したハンガーとするために、請求項１におけるハンガーは適度な弾性と粘り強さを有する合成樹脂素材により一体形成されるハンガーとし、フック下部の基部に設けられるハンガー本体部が、前後に分離して逆Ｖ字状に形成された２枚の保持体を設け、該保持体の一方に設けた突起付き係止板を対向側の保持体に掛け止めることにより、前記ハンガー本体部を薄く折たためられる開閉自在の衣服用ハンガーを構成する。
【００１０】  請求項２におけるハンガーは、上記する基部に連結される基板の根元部を肉薄部を形成することにより、２枚の保持体を二つ折りし易いハンガーとする。
【００１１】  請求項３におけるハンガーは、上記する２枚の保持体の間にバネを介在させることで確実に広げて保持できるハンガーを形成するが
【００１２】  請求項４におけるハンガーは、請求項３に記載する基部と基板がヒンジ部により連結することでさらに折りたたみ易いハンガーを形成するが、以下、さらに具体的な実施の形態を示す。
【発明を実施するための最良の形態】
【００１３】  本発明の第１の実施の形態のハンガーを図１に示す斜視図と図２に示す側面図及び図３のハンガーを閉じた状態の側面図を参照して説明する。【００１４】  本発明によるハンガー１の素材は、適度な弾性と粘り強さを有するナイロンやポリプロピレン等の弾性合成樹脂素材により一体成型されるものとし、その構成は、一般的に見られるハンガーの本体部が前後に二つに分離して広がるタイプである。【００１５】  まずフック２の下部に位置するハンガー本体は、フック２の根元部位に設けた基部３から下方に向かって、一定幅の基板４とその下部に略コの字状の掛け棒５を設けた２枚の保持体６，６を、側面形状が逆Ｖ字状を成す角度で前記基部３に設けた一方の基板４の下辺中央に、ヒンジ部７をもって内側に折り曲げられる突起８付き係止片９，９を設けたハンガー１を一体形成するとともに、前記した２枚の基板４，４の根元部は、他部より多少厚みを薄くした肉薄部１０，１０を有するハンガー１を構成する。【００１６】  第１の実施の形態によるハンガー１は、フック２を有する基部３に設けられるハンガー本体部が、２枚の保持体６，６が屋根の勾配のように下方に向かって広がるように逆Ｖ字状に一体形成しているので、図５の使用例図のように衣服Ａを掛けると内側を広げるようにして掛け吊せるため、風通しを極めて良くして乾燥を早められる。【００１７】  さらに前記した基板４，４の根元部は肉薄部１０，１０を形成しているので、通常のハンガーのように厚みを薄くして使いたい時は、図３に示すように２枚の保持体６，６の基板４，４を手でつまんで後に、一方の基板４に付いている突起８付き係止片９を対向側の基板４に掛け止めると、一般的なハンガーと同じ厚みのハンガーとして使える。また突起８付き係止片９を取り外すと、２枚の保持板６，６は素材の弾性力により元の広がった形に戻る素材特性を活かしたユニークなハンガー１を構成する。【００１８】  第２の実施の形態によるハンガーを図４に示す側面図を参照して説明する。本実施の形態におけるハンガー１は、基本的には前記タイプのハンガー１と同じであるが、２枚の基板４，４の間にバネ１１を介在させたタイプである。【００１９】  ハンガー本体は、前記タイプ同様にフック２の基部３より下方に、突起８付き係止片９を有する掛け棒５，５を取り付けた２枚の基板４，４が、前記基部３にそれぞれヒンジ部７，７により連結して成る前記基板４，４の間に、合成樹脂製によるコイル状のバネ１１を介在して第２の実施の形態によるハンガー１を構成する。【００２０】  本実施の形態におけるハンガー１は、形態は前記タイプと同じであるが、フック２下部の基部３に取り付けられた保持体６，６はヒンジ部７，７により曲げ自在に連結され、かつ２枚の保持体６，６の間にバネ１１を介在させているので、開放時はバネ１１圧により前記タイプと同様の逆Ｖ字状を維持してハンガー本体部２を形成するが、基板４，４を手でつまむと前記同様に厚みを薄く折りたためられる。【００２１】  またバネ１１を使用することにより長期間折たたんでも復元力は変わらないことに加え、合成樹脂製であるので雨や洗濯物の水分でバネ１１が錆びたりすることはない。【００２２】  本発明によるハンガー１���構成において、第１の実施の形態においては、基部４とハンガー本体部の基板４の連結部は薄肉部１０を設けることにより曲げ易くしているが、基板４と同じ厚みでも構わない。さらにフック２も同じ素材で一体形成しているが別体の金属製フックでもよい。また２枚の基板４，４の間に、第２の実施の形態と同様にバネ１１を介在してもよい。【００２３】  加えて第２の実施の形態に示すバネ１１は錆びないように合成樹脂製であるが、金属製バネを採用しても差し支えない。さらに突起８付き係止片９が掛け止められる対向側基板４に前記突起８が嵌る浅い凹部を設けてもよく、いずれも特に限定するものではない。
【発明の効果】
【００２４】本発明におけるハンガーは以上のような構成であるので、以下に示すような特徴や効果を有する。
衣服を掛けるハンガー本体部は、弾性を有する合成樹脂素材により逆Ｖ字状を成す形に形成されているので、そのまま洗濯した衣服を掛けると衣服の内側は前後に広げた状態で、あたかも人に着せたような状態で掛け吊せるので、風通しをきわめて良くし、かつ衣服を無理のない形で早く乾燥させることができる従来には見られないユニークな形態のハンンガーを構成する。
【００２５】  さらに、ハンガーは弾性素材で一体形成されているので、通常のハンガーのように厚みを薄くして使う場合は、２枚の保持体を押し合わせて後に係止片を掛け留めるだけでよく、使用目的により自在にハンガー本体部を開閉して使えるため、例えば、クローゼットに収納する場合であっても、厚手のジャケットやコートなどは内側に湿気がこもりやすいが、このハンガーで広げて掛け吊せば、クローゼット内の湿気が衣服の内側にこもることはないので、カビの発生を抑えたり防虫剤の効果を均一に拡散することができる。
【００２６】  またハンガー本体部の下部に位置する２本の掛け棒は一定の間隔に広がるので、１本のハンガーでもズボンやタオルなどの二つを同時に掛け吊せる。加えて、保管はもとより輸送時には折りたたんでコンパクトにすることができ、かつ一体成型により形成されるので、コストも安価にしてシンプルで取り扱い易いハンガーを提供する。
【図面の簡単な説明】
【図１】  本発明の第１に実施の形態によるハンガーを示す斜視図である。
【図２】  ハンガーを示す側面図である。
【図３】  ハンガーを閉じた状態を示す側面図である。
【図４】  第２に実施の形態によるハンガーを示す側面図である。
【図５】  第１に実施の形態によるハンガーの使用例を示す参考図である。
【符号の説明】
１・ハンガー
２・フック
３・基部
４・基板
５・掛け棒
６・保持体
７・ヒンジ部
８・突起
９・保持片
１０・肉薄部
１１・バネ
Ａ・衣服
【図１】
2005066292.tif 000003
【図２】
2005066292.tif 000004
【図３】
2005066292.tif 000005
【図４】
2005066292.tif 000006
【図５】
2005066292.tif 000007
【手続補正書】
【提出日】平成15年10月29日(2003.10.29)
【手続補正１】
【補正対象書類名】明細書
【補正対象項目名】特許請求の範囲
【補正方法】変更
【補正の内容】
【特許請求の範囲】
【請求項１】適度な弾性と粘り強さを有する合成樹脂素材により一体形成されるハンガーであって、フックの下部の基部に設けられるハンガー本体部が、前後に分離して逆Ｖ字状に形成された２枚の保持体を設け、該保持体の一方に設けた突起付き係止片を対向側の保持体に掛け止めることにより、前記ハンガー本体部を薄く折たためられる構成を特徴とする開閉自在の衣服用ハンガー。
【請求項２】  基部に連結される基板の根元部を肉薄部を形成して成る請求項１に記載する開閉自在の衣服用ハンガー。
【請求項３】  ２枚の保持体の間にバネを介在させて成る請求項１〜請求項３のいずれかに記載する開閉自在の衣服用ハンガー。
【請求項４】  基部と基板がヒンジ部により連結して成る請求３に記載する開閉自在の衣記用ハンガー。
【手続補正２】
【補正対象書類名】明細書
【補正対象項目名】０００９
【補正方法】変更
【補正の内容】
【０００９】
【課題を解決するための手段】
本発明は上記する不便や欠点を解消したハンガーとするために、請求項１におけるハンガーは適度な弾性と粘り強さを有する合成樹脂素材により一体形成されるハンガーとし、フック下部の基部に設けられるハンガー本体部が、前後に分離して逆Ｖ字状に形成された２枚の保持体を設け、該保持体の一方に設けた突起付き係止片を対向側の保持体に掛け止めることにより、前記ハンガー本体部を薄く折たためられる開閉自在の衣服用ハンガーを構成する。
【手続補正３】
【補正対象書類名】明細書
【補正対象項目名】図面の簡単な説明
【補正方法】変更
【補正の内容】
【図面の簡単な説明】
【図１】
本発明の第１に実施の形態によるハンガーを示す斜視図である。
【図２】
ハンガーを示す側面図である。
【図３】
ハンガーを閉じた状態を示す側面図である。
【図４】
第２に実施の形態によるハンガーを示す側面図である。
【図５】
第１に実施の形態によるハンガーの使用例を示す参考図である。
【符号の説明】
１・ハンガー
２・フック
３・基部
４・基板
５・掛け棒
６・保持体
７・ヒンジ部
８・突起
９・係止片
１０・肉薄部
１１・バネ
Ａ・衣服
【手続補正書】
【提出日】平成16年2月24日(2004.2.24)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
適度な弾性と粘り強さを有する合成樹脂素材により一体形成されるハンガーであって、フックの下部の基部に設けられるハンガー本体部が、前後に分離して逆Ｖ字状に形成された２枚の保持体を設け、該保持体の一方に設けた突起付き係止片を対向側の保持体に掛け止めることにより、前記ハンガー本体部を薄く折たためられる構成を特徴とする開閉自在の衣服用ハンガー。
【請求項２】
基部に連結される基板の根元部を肉薄部を形成して成る請求項１に記載する開閉自在の衣服用ハンガー。
【請求項３】
２枚の保持体の間にバネを介在させて成る請求項１〜請求項３のいずれかに記載する開閉自在の衣服用ハンガー。
【請求項４】
基部と基板がヒンジ部により連結して成る請求項３に記載する開閉自在の衣服用ハンガー。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】  本発明は、衣服を普通に掛ける時はハンガーの厚みが薄く、洗濯した衣服を掛ける時は前後の厚みを広くすることで、風通しをよくして乾燥を大幅に早くすることができる開閉自在の衣服用ハンガーに関する。
【背景技術】
【０００２】  従来より、衣服を掛け吊すハンガーとしては、形はもとより付加機能を持たせたものが数多く提供されている。その中において、ハンガーの内側に回転部材を設けることで、洗濯した衣服の前後を広げて風通しを良くして早く乾燥させることができるハンガーの技術もある。（例えば、特許文献１参照。）。【０００３】  また、ハンガーの肩部分に、一定の幅と長さで丸みを成す通気穴を有する板をハンガーに取り付けることで、掛けた衣服の伸びをなくし、かつ衣服を広げて早く乾燥できる技術もある（例えば、特許文献２参照。）。【０００４】
【特許文献１】実用新案登録第３０６６４５５号公報（第２−３頁、図１）
【特許文献２】特開２００２−２２４４９４号公報（第２頁、図１）
【発明が解決しようとする課題】
【０００５】  上記するようなハンガーの技術があるが、実用新案登録第３０６６４５５号に開示する技術は、ハンガーの内側に回転式サポーターを取り付け、衣服を掛けてからサポーターを４５度〜９０度回転させることで、衣服の内側の間隔を広げることにより風通し良くして乾燥を早めるハンガーである。
【０００６】  しかし回転式サポーターにはロック機構が設けられていないので、風により衣服を掛けたハンガーが揺れたり隣の洗濯物に当たったりした場合などは、回転式サポーターが元の位置に戻って厚みが薄くなることもあり、また回転式サポーターを９０度にすると十字状になるので、前身頃のボタンは全部掛けないとサポーターが前身ごろから外れたりして使えない。さらに内側に回転式サポーターを設けているのでズボンやタオルなど、他の洗濯物は掛けられないなどの不便や欠点があるハンガーである。
【０００７】  次に特開２００２−２２４４９４号によるハンガーは、一定の幅と長さで通気穴を有する板をハンガーの肩部分に取り付けることで、衣服の伸びるのを防ぎ、かつ衣服を広げて乾燥を早めるものである。
【０００８】  しかしこの技術はハンガーの肩部分の両サイドに板が付いているので、取り付けたままでは衣服を掛けにくいし、また板を取り外して通常のハンガーにしたり取り付けて使うにも一々面倒である。加えて、板は確実に取り付ける手段を採用していないので、強風で揺れたりした場合は板がずれたり脱落することもある欠点や使いにくさがあるハンガーである。
【課題を解決するための手段】
【０００９】  本発明は上記する不便や欠点を解消したハンガーとするために、請求項１におけるハンガーは適度な弾性と粘り強さを有する合成樹脂素材により一体形成されるハンガーとし、フック下部の基部に設けられるハンガー本体部が、前後に分離して逆Ｖ字状に形成された２枚の保持体を設け、該保持体の一方に設けた突起付き係止片を対向側の保持体に掛け止めることにより、前記ハンガー本体部を薄く折たためられる開閉自在の衣服用ハンガーを構成する。
【００１０】  請求項２におけるハンガーは、上記する基部に連結される基板の根元部を肉薄部を形成することにより、２枚の保持体を二つ折りし易いハンガーとする。
【００１１】  請求項３におけるハンガーは、上記する２枚の保持体の間にバネを介在させることで確実に広げて保持できるハンガーを形成する。
【００１２】  請求項４におけるハンガーは、請求項３に記載する基部と基板がヒンジ部により連結することでさらに折りたたみ易いハンガーを形成するが、以下、さらに具体的な実施の形態を示す。
【発明の効果】
【００１３】  本発明におけるハンガーは以上のような構成であるので、以下に示すような特徴や効果を有する。
衣服を掛けるハンガー本体部は、弾性を有する合成樹脂素材により逆Ｖ字状を成す形に形成されているので、そのまま洗濯した衣服を掛けると衣服の内側は前後に広げた状態で、あたかも人に着せたような状態で掛け吊せるので、風通しをきわめて良くし、かつ衣服を無理のない形で早く乾燥させることができる従来には見られないユニークな形態のハンンガーを構成する。
【００１４】  さらに、ハンガーは弾性素材で一体形成されているので、通常のハンガーのように厚みを薄くして使う場合は、２枚の保持体を押し合わせて後に係止片を掛け留めるだけでよく、使用目的により自在にハンガー本体部を開閉して使えるため、例えば、クローゼットに収納する場合であっても、厚手のジャケットやコートなどは内側に湿気がこもりやすいが、このハンガーで広げて掛け吊せば、クローゼット内の湿気が衣服の内側にこもることはないので、カビの発生を抑えたり防虫剤の効果を均一に拡散することができる。
【００１５】  またハンガー本体部の下部に位置する２本の掛け棒は一定の間隔に広がるので、１本のハンガーでもズボンやタオルなどの二つを同時に掛け吊せる。加えて、保管はもとより輸送時には折りたたんでコンパクトにすることができ、かつ一体成型により形成されるので、コストも安価にしてシンプルで取り扱い易いハンガーを提供する。
【発明を実施するための最良の形態】
【００１６】  本発明の第１の実施の形態のハンガーを図１に示す斜視図と図２に示す側面図及び図３のハンガーを閉じた状態の側面図を参照して説明する。【００１７】  本発明によるハンガー１の素材は、適度な弾性と粘り強さを有するナイロンやポリプロピレン等の弾性合成樹脂素材により一体成型されるものとし、その構成は、一般的に見られるハンガーの本体部が前後に二つに分離して広がるタイプである。【００１８】  まずフック２の下部に位置するハンガー本体は、フック２の根元部位に設けた基部３から下方に向かって、一定幅の基板４とその下部に略コの字状の掛け棒５を設けた２枚の保持体６，６を、側面形状が逆Ｖ字状を成す角度で前記基部３に設けた一方の基板４の下辺中央に、ヒンジ部７をもって内側に折り曲げられる突起８付き係止片９，９を設けたハンガー１を一体形成するとともに、前記した２枚の基板４，４の根元部は、他部より多少厚みを薄くした肉薄部１０，１０を有するハンガー１を構成する。【００１９】  第１の実施の形態によるハンガー１は、フック２を有する基部３に設けられるハンガー本体部が、２枚の保持体６，６が屋根の勾配のように下方に向かって広がるように逆Ｖ字状に一体形成しているので、図５の使用例図のように衣服Ａを掛けると内側を広げるようにして掛け吊せるため、風通しを極めて良くして乾燥を早められる。【００２０】  さらに前記した基板４，４の根元部は肉薄部１０，１０を形成しているので、通常のハンガーのように厚みを薄くして使いたい時は、図３に示すように２枚の保持体６，６の基板４，４を手でつまんで後に、一方の基板４に付いている突起８付き係止片９を対向側の基板４に掛け止めると、一般的なハンガーと同じ厚みのハンガーとして使える。また突起８付き係止片９を取り外すと、２枚の保持板６，６は素材の弾性力により元の広がった形に戻る素材特性を活かしたユニークなハンガー１を構成する。【００２１】  第２の実施の形態によるハンガーを図４に示す側面図を参照して説明する。本実施の形態におけるハンガー１は、基本的には前記タイプのハンガー１と同じであるが、２枚の基板４，４の間にバネ１１を介在させたタイプである。【００２２】  ハンガー本体は、前記タイプ同様にフック２の基部３より下方に、突起８付き係止片９を有する掛け棒５，５を取り付けた２枚の基板４，４が、前記基部３にそれぞれヒンジ部７，７により連結して成る前記基板４，４の間に、合成樹脂製によるコイル状のバネ１１を介在して第２の実施の形態によるハンガー１を構成する。【００２３】  本実施の形態におけるハンガー１は、形態は前記タイプと同じであるが、フック２下部の基部３に取り付けられた保持体６，６はヒンジ部７，７により曲げ自在に連結され、かつ２枚の保持体６，６の間にバネ１１を介在させているので、開放時はバネ１１圧により前記タイプと同様の逆Ｖ字状を維持してハンガー本体部２を形成するが、基板４，４を手でつまむと前記同様に厚みを薄く折りたためられる。【００２４】  またバネ１１を使用することにより長期間折たたんでも復元力は変わらないことに加え、合成樹脂製であるので雨や洗濯物の水分でバネ１１が錆びたりすることはない。【００２５】  本発明によるハンガー１���構成において、第１の実施の形態においては、基部４とハンガー本体部の基板４の連結部は薄肉部１０を設けることにより曲げ易くしているが、基板４と同じ厚みでも構わない。さらにフック２も同じ素材で一体形成しているが別体の金属製フックでもよい。また２枚の基板４，４の間に、第２の実施の形態と同様にバネ１１を介在してもよい。【００２６】  加えて第２の実施の形態に示すバネ１１は錆びないように合成樹脂製であるが、金属製バネを採用しても差し支えない。さらに突起８付き係止片９が掛け止められる対向側基板４に前記突起８が嵌る浅い凹部を設けてもよく、いずれも特に限定するものではない。
【図面の簡単な説明】
【００２７】
【図１】本発明の第１の実施の形態によるハンガーを示す斜視図である。
【図２】ハンガーを示す側面図である。
【図３】ハンガーを閉じた状態を示す側面図である。
【図４】第２の実施の形態によるハンガーを示す側面図である。
【図５】第１の実施の形態によるハンガーの使用例を示す参考図である。
【符号の説明】
【００２８】  １・ハンガー
２・フック
３・基部
４・基板
５・掛け棒
６・保持体
７・ヒンジ部
８・突起
９・係止片
１０・肉薄部
１１・バネ
Ａ・衣服
【手続補正３】
【補正対象書類名】手続補正書
【補正対象項目名】手続補正３
【補正方法】削除
【補正の内容】